(57)【特許請求の範囲】
【請求項１】
部品収納部、この部品収納部に向かうように形成されたリード線導入孔、このリード線導入孔に直交する方向に設けられ照明器具本体に装着されるボディ係止部を有してなるボディーと；
前記ボディ係止部と同一方向に形成されるとともに照明器具本体に装着されるカバー係止部および前記ボディーのリード線導入孔に対向するように設けられ、底部がボディ係止部側となるように形成されるほぼＵ字状ガイドを有してなり、前記ボディーの部品収納部を覆うカバーと；
を具備していることを特徴とする光源用ソケット。
【請求項２】
器具本体と；
器具本体に配設される少なくとも一対の請求項１記載の光源用ソケットと；
光源用ソケットに装着される光源と；
光源を点灯する点灯回路と；を具備していることを特徴とする照明器具。
【発明の詳細な説明】
【０００１】
【発明の属する技術分野】
本発明は、蛍光ランプ等の光源用ソケットおよびこのソケットを用いる照明器具に関する。
【０００２】
【従来の技術】
従来、この種の蛍光灯用ソケットは、特開平９−１６１９２１号公報などに記載されている。
【０００３】
図４および５は従来の蛍光灯用ソケットおよび組み立て構造を示す分解斜視図である。図において、蛍光灯用ソケット５１は、一個の本体ケース５２、一個の内部部品５３、一対の電極板５４、からなる。前記本体ケース５２は、下面が開口しており、前面下部に電極孔１０が形成されている。
【０００４】
前記内部部品５３は、固定部品に相当する固定部５５と作動体に相当する作動部５６とを有しており、これらは薄肉部５７により揺動自在に一体に形成されている。前記作動部５６は、上半部は円盤状に形成されているが、その端子孔１５の下方の前面には後方に屈曲した凹部５８が形成されており、この凹部５８の下縁が前記薄肉部５７に連続している。この薄肉部５７は、左右方向に直線的に形成されており、蛍光灯７の挿入方向である前後方向に弾発的に湾曲自在である。このため、前記固定部５５に対して前記作動部５６を前後方向に揺動自在に支持しており、この作動部５６を前記本体ケース５２の丸穴８に弾発的に付勢している。
【０００５】
前記固定部５５は、後面中央に係合爪（図示せず。）が突設されており、この係合爪（図示せず。）が前記本体ケース５２の係合孔（図示せず。）に係脱自在に係合する。その下部には前後方向に連通する電極孔１０が形成されており、この電極孔１０に連通する電極挿入部（図示せず。）のスリット（図示せず。）が、前部の上面から下方まで垂直に形成されている。前記電極挿入部には凹部となる係合孔３９が形成されており、この係合孔３９に係脱自在に係合する凸部である係合爪４０が前記電極板５４に突設されている。ここに前記内部部品５３の固定部５５の電極挿入部に挿入された前記電極板５４を位置保持する電極保持機構（図示せず。）が形成されており、前記電極板５４の中間部１９は前記固定部５５に揺動自在かつ位置不動に装着されている。
【０００６】
前記電極板５４は、全体的にＳ字状に曲折されているが、端子部２１と中間部１９と電極部２０とが略直線上に位置しており、急角度に曲折された部分はない。上述のようにリード電極９と蛍光灯７の端子１４とは共に蛍光灯用ソケット５１に前方から挿入されるので、これらは前記電極板５４の電極部２０と端子部２１とを共に後方に押圧する。前記電極板５４は中間部１９の位置で揺動自在に支持されているので、リード電極９と蛍光灯７の端子１４とにより各部２０，２１に作用する応力は、相互に増強する方向に発生する。
【０００７】
上述した蛍光灯用ソケット５１は、照明器具の本体フレーム２３の保持部２４が嵌合するスリット１２，４２が本体ケース５２と内部部品５３との両方に形成されているので、ここで本体ケース５２と内部部品５３とを固定している。
【０００８】
そして、蛍光灯用ソケット５１は、照明器具の本体フレーム２３の両端に一対が装着され、蛍光灯７を両端で保持して電力を供給するものである。
【０００９】
【発明が解決しようとする課題】
このような蛍光灯用ソケット５１では、内部部品５３のスリット４２と本体ケース５２のスリット１２とを相互にスライドさせることにより、本体ケース５２で内部部品５３を覆うような構造である。そして上記スライド方向と同一方向にリード電極９を挿入およびガイドする電極孔１０が、内部部品５３および本体ケース５２にそれぞれ形成されている。
【００１０】
すなわち、上述したように、内部部品と本体ケースとを相互にスライドさせて構成させる蛍光灯用ソケットにおいては、このスライド方向とリード電極の導入方向が同一の場合には、リード線が電極孔周囲に当接するようなことが少なく、リード線の着脱によって上記内部部品と本体ケースとが外れてしまうようなことは少ない。
【００１１】
しかしながら、内部部品と本体ケースとのスライド方向とリード電極の導入方向がほぼ直交するような場合には、リード線も直角に折り曲げられて配線される場合が多く、このような場合には、リード線が電極孔周囲に当接する場合が発生して本体ケースに形成された電極孔を上述したスライド方向に引っ張る力が発生する場合がある。
【００１２】
したがって、この場合よっては、内部部品と本体ケースとが不用意に分離してしまうことがあり、ソケットに不具合が生じることになる。
【００１３】
本発明では、ボディーとカバーとのスライド方向とリード電極の導入方向がほぼ直交するような場合において、両者が不用意に分離してしまうことのないような光源用ソケットおよびこのソケットを用いた照明器具を提供することを目的とする。
【００１４】
【課題を解決するための手段】
請求項１の発明は、部品収納部、この部品収納部に向かうように形成されたリード線導入孔、このリード線導入孔に直交する方向に設けられ照明器具本体に装着されるボディ係止部を有してなるボディーと；前記ボディ係止部と同一方向に形成されるとともに照明器具本体に装着されるカバー係止部および前記ボディーのリード線導入孔に対向するように設けられ、底部がボディ係止部側となるように形成されるほぼＵ字状ガイドを有してなり、前記ボディーの部品収納部を覆うカバーと；を具備していることを特徴とする。
【００１５】
請求項２の発明は、器具本体と；器具本体に配設される少なくとも一対の請求項１記載の光源用ソケットと；光源用ソケットに装着される光源と；光源を点灯する点灯回路と；を具備していることを特徴とする。
【００１６】
【発明の実施の形態】
以下、本発明の一実施の形態を示す光源用ソケットおよびこのソケットを用いた照明器具について図面を参照して説明する。
【００１７】
図１は本発明の一実施の形態を示す蛍光ランプ用ソケットの斜視図、図２は同じくボディーの斜視図および図３は同じくカバーの斜視図である。
【００１８】
図において、光源用ソケットである、例えば蛍光ランプ用ソケットは、一般的には樹脂製のボディー１およびカバー２で構成されている。
【００１９】
ボディー１は、主として部品収納部１ａ、この部品収納部１ａに向かうように形成された複数のリード線導入孔１ｂ，１ｂ…、このリード線導入孔１ｂ，１ｂ…に直交する方向に設けられ照明器具本体に装着されるボディ係止部１ｃを含んで構成されている。
【００２０】
また、カバー２は、上述したボディ係止部１ｃと同一方向に形成されるとともに照明器具本体に装着されるカバー係止部２ａおよび前記ボディー１のリード線導入孔１ｂ，１ｂ…に対向するように設けられ、底部２ｂａがボディ係止部１ｃ側となるように形成されるほぼＵ字状ガイド２ｂ，２ｂ…を有してなり、前記ボディー１の部品収納部１ａを覆うようにされている。
【００２１】
このような蛍光ランプ用ソケットによると、リード線３がリード線導入孔１ｂ，１ｂ…から折り曲げられて導出され、Ｕ字状ガイド２ｂ，２ｂの底部２ｂａに対して力が加わり、この力はボディーとカバーを装着する力として作用し、両者が不用意に分離してしまうことが抑制できる。
【００２２】
また、リード線３がリード線導入孔１ｂ，１ｂ…から逆方向に折り曲げられて導出された場合には、Ｕ字状ガイド２ｂ，２ｂの底部と反対方向は開放されている、すなわちカバー２にガイドがないので、両者を分離するような力がカバーに加わることはない。
【００２３】
次に、この蛍光ランプ用ソケットは、一般的には照明器具に配設されて使用されるものである。
【００２４】
すなわち、この照明器具は、器具本体と、器具本体に配設される少なくとも一対の蛍光ランプ用ソケットと、このソケットに装着される光源と、光源を点灯する点灯回路とを具備して構成されている。
【００２５】
この照明器具によると、蛍光ランプ用ソケットの不具合が低減された照明器具を提供することができるものである。
【００２６】
【発明の効果】
請求項１の光源用ソケットでは、ボディーのボディ係止部と同一方向に形成されるとともに照明器具本体に装着されるカバー係止部および前記ボディーのリード線導入孔に対向するように設けられ、底部がボディ係止部側となるように形成されるほぼＵ字状ガイドを有してなり、前記ボディーの部品収納部を覆うカバーを有しているので、リード線がリード線導入孔から折り曲げられて導出され、Ｕ字状ガイドの底部２ｂａに対して力が加わり、この力はボディーとカバーを装着する力として作用し、両者が不用意に分離してしまうことが抑制できる。また、リード線がリード線導入孔から逆方向に折り曲げられて導出された場合には、Ｕ字状ガイドの底部と反対方向は開放されている、すなわちカバーにガイドがないので、両者を分離するような力がカバーに加わることはない。したがって、良好なソケットを提供できる。
【００２７】
請求項２記載の照明器具では、光源用ソケットの不具合が低減された照明器具を提供することができる。
【図面の簡単な説明】
【図１】本発明の一実施の形態を示す蛍光ランプ用ソケットの斜視図。
【図２】同じくボディーの斜視図。
【図３】同じくカバーの斜視図。
【図４】従来の蛍光灯用ソケットの分解斜視図。
【図５】同じく蛍光灯用ソケットと器具本体と組立を示す分解斜視図。
【符号の説明】
１…ボディー
２…カバー
３…リード線
【図１】
0004075209.tif 000002
【図２】
0004075209.tif 000003
【図３】
0004075209.tif 000004
【図４】
0004075209.tif 000005
【図５】
0004075209.tif 000006